【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
主被写体に焦点を合わせた第１の画像と、前記主被写体を含む画像であって前記主被写体の背景に焦点を合わせた第２の画像とを取得する取得手段と、
前記第１の画像および第２の画像から、主被写体領域、背景領域、および前記主被写体領域と前記背景領域との間の中間領域を判定する領域判定手段と、
前記第１の画像に対してフィルタリング処理を行って第１のぼかし画像を生成するとともに、前記第１の画像に対してフィルタリング処理を行って前記第１のぼかし画像よりもぼかし量が小さい第２のぼかし画像を生成する生成手段と、
前記第１の画像から前記主被写体領域を切り出すとともに、前記第２のぼかし画像から前記中間領域を切り出し、前記第１のぼかし画像に前記切り出された主被写体領域および中間領域を合成して背景ぼかし画像を生成する合成手段と、
を備えることを特徴とする画像処理装置。
【請求項２】
主被写体に焦点を合わせた第１の画像と、前記主被写体を含む画像であって前記主被写体の背景に焦点を合わせた第２の画像とを取得する取得手段と、
前記第１の画像および第２の画像から、主被写体領域、背景領域、および前記主被写体領域と前記背景領域との間の中間領域を判定する領域判定手段と、
前記第１の画像に対してフィルタリング処理を行って第１のぼかし画像を生成するとともに、前記第１の画像に対してフィルタリング処理を行って前記第１のぼかし画像よりもぼかし量が小さい第２のぼかし画像を生成する生成手段と、
前記第１の画像から切り出された前記主被写体領域と、前記第２のぼかし画像から切り出された前記中間領域と、前記第１のぼかし画像から切り出された背景領域を合成することによって、背景ぼかし画像を生成する合成手段と、
を備えることを特徴とする画像処理装置。
【請求項３】
前記領域判定手段は、前記取得手段によって取得された第１の画像および第２の画像から鮮鋭度を検出することによって前記主被写体領域、前記背景領域、および前記中間領域を判定することを特徴とする請求項１又は２に記載の画像処理装置。
【請求項４】
前記領域判定手段は、前記第１の画像および第２の画像における前記鮮鋭度の差が所定の範囲内である領域を前記中間領域と判定することを特徴とする請求項３に記載の画像処理装置。
【請求項５】
前記領域判定手段は、前記鮮鋭度が所定値以上の領域において判定することを特徴とする請求項３又は４に記載の画像処理装置。
【請求項６】
前記生成手段は、前記第１の画像に対してフィルタリング処理を行って前記第１のぼかし画像よりもぼかし量が小さい多段階の複数のぼかし画像を生成し、
前記合成手段は、前記多段階の複数のぼかし画像を用いて前記背景ぼかし画像を生成することを特徴とする請求項１〜５の何れか１項に記載の画像処理装置。
【請求項７】
前記生成手段は、
前記第１の画像に対して縮小処理を行う縮小手段と、
前記縮小手段によって縮小された縮小画像に対して空間フィルタリング処理を行うフィルタリング手段と、
前記フィルタリング手段によって空間フィルタリング処理が行われた縮小画像に対して拡大処理を行って前記第１のぼかし画像又は前記第２のぼかし画像を生成する拡大手段と、
を備えることを特徴とする請求項１〜６の何れか１項に記載の画像処理装置。
【請求項８】
前記縮小手段は、所定の縮小率になるまで縮小処理を繰り返し、
前記拡大手段は、所定の拡大率になるまで拡大処理を繰り返すことを特徴とする請求項７に記載の画像処理装置。
【請求項９】
前記縮小手段は、画像サイズに応じて前記縮小処理を行う前に平滑化フィルタリング処理を行い、
前記拡大手段は、画像サイズに応じて前記拡大処理を行う前に平滑化フィルタリング処理を行うことを特徴とする請求項８に記載の画像処理装置。
【請求項１０】
前記縮小手段は、前記第１の画像の輝度分布に応じて前記縮小処理を行う前に平滑化フィルタリング処理を行い、
前記拡大手段は、前記第１の画像の輝度分布および前記縮小画像における斜線の検出情報に応じて前記拡大処理を行う前に平滑化フィルタリング処理を行うことを特徴とする請求項８に記載の画像処理装置。
【請求項１１】
主被写体に焦点を合わせた第１の画像と、前記主被写体を含む画像であって前記主被写体の背景に焦点を合わせた第２の画像とを取得する取得工程と、
前記第１の画像および第２の画像から、主被写体領域、背景領域、および前記主被写体領域と前記背景領域との間の中間領域を判定する領域判定工程と、
前記第１の画像に対してフィルタリング処理を行って第１のぼかし画像を生成するとともに、前記第１の画像に対してフィルタリング処理を行って前記第１のぼかし画像よりもぼかし量が小さい第２のぼかし画像を生成する生成工程と、
前記第１の画像から前記主被写体領域を切り出すとともに、前記第２のぼかし画像から前記中間領域を切り出し、前記第１のぼかし画像に前記切り出された主被写体領域および中間領域を合成して背景ぼかし画像を生成する合成工程と、
を備えることを特徴とする画像処理方法。
【請求項１２】
主被写体に焦点を合わせた第１の画像と、前記主被写体を含む画像であって前記主被写体の背景に焦点を合わせた第２の画像とを取得する取得工程と、
前記第１の画像および第２の画像から、主被写体領域、背景領域、および前記主被写体領域と前記背景領域との間の中間領域を判定する領域判定工程と、
前記第１の画像に対してフィルタリング処理を行って第１のぼかし画像を生成するとともに、前記第１の画像に対してフィルタリング処理を行って前記第１のぼかし画像よりもぼかし量が小さい第２のぼかし画像を生成する生成工程と、
前記第１の画像から切り出された前記主被写体領域と、前記第２のぼかし画像から切り出された前記中間領域と、前記第１のぼかし画像から切り出された背景領域を合成することによって、背景ぼかし画像を生成する合成工程と、
を備えることを特徴とする画像処理方法。
【手続補正２】
【補正対象書類名】明細書
【補正対象項目名】発明の名称
【補正方法】変更
【補正の内容】
【発明の名称】画像処理装置および画像処理方法
【手続補正３】
【補正対象書類名】明細書
【補正対象項目名】０００１
【補正方法】変更
【補正の内容】
【０００１】
本発明は、特に、領域の一部をぼかした画像を生成するために用いて好適な画像処理装置および画像処理方法に関する。
【手続補正４】
【補正対象書類名】明細書
【補正対象項目名】０００８
【補正方法】変更
【補正の内容】
【０００８】
本発明に係る画像処理装置は、主被写体に焦点を合わせた第１の画像と、前記主被写体を含む画像であって前記主被写体の背景に焦点を合わせた第２の画像とを取得する取得手段と、前記第１の画像および第２の画像から、主被写体領域、背景領域、および前記主被写体領域と前記背景領域との間の中間領域を判定する領域判定手段と、前記第１の画像に対してフィルタリング処理を行って第１のぼかし画像を生成するとともに、前記第１の画像に対してフィルタリング処理を行って前記第１のぼかし画像よりもぼかし量が小さい第２のぼかし画像を生成する生成手段と、前記第１の画像から前記主被写体領域を切り出すとともに、前記第２のぼかし画像から前記中間領域を切り出し、前記第１のぼかし画像に前記切り出された主被写体領域および中間領域を合成して背景ぼかし画像を生成する合成手段と、を備えることを特徴とする。